(57)【要約】      （修正有）【課題】薄型キープレートを使用してもキープレートを固定できるキープレート固定構造、及びこのキープレート固定構造を用いたメカキーを提供する。【解決手段】メカキー１０は、開口部３１を備えた挿入穴部３０を有し、挿入穴部３０の下部３３、下部３３と対向する突起部３４を備えた上部３５、及び挿入方向の奥に形成された奥部を備えたグリップ部３０と、長尺の板状であるプレート部２１の一端側が鍵部２１ａとして形成され、プレート部２１の他端側がＬ字状に形成され挿入穴部３０に挿入される挿入部２１ｂとして形成されたキープレートと、を有し、挿入部２１ｂには、突起部３４と挿入方向に当接しない形状の立設部が形成され、Ｌ字状を形成する挿入部２１ｂのプレート部２１は突起部３４及び下部３３に当接して固定されるように構成する。【選択図】図２
2016121461.tif 000002
【特許請求の範囲】
【請求項１】
開口部を備えた挿入穴部を有し、前記挿入穴部の下部、前記下部と対向する突起部を備えた上部、及び挿入方向の奥に形成された奥部を備えたグリップ部と、
長尺の板状であるプレート部の一端側が鍵部として形成され、前記プレート部の他端側がＬ字状に形成され前記挿入穴部に挿入される挿入部として形成されたキープレートと、を有し、
前記挿入部には、前記突起部と挿入方向に当接しない形状の立設部が形成され、前記Ｌ字状を形成する前記挿入部のプレート部は前記突起部及び前記下部に当接して固定されることを特徴とするキープレート固定構造。
【請求項２】
前記突起部又は前記立設部は、櫛歯状に形成されていることを特徴とする請求項１に記載のキープレート固定構造。
【請求項３】
前記キープレートは、ピンにより、前記立設部が前記奥部に当接して固定されることを特徴とする請求項１又は２に記載のキープレート固定構造。
【請求項４】
前記グリップ部は、前記挿入穴部の一部に、前記挿入部の前記プレート部の角部と当接する案内部を有することを特徴とする請求項１から３のいずれか１項に記載のキープレート固定構造。
【請求項５】
請求項１から４のいずれか１項に記載のキープレート固定構造を有するメカキー。
【発明の詳細な説明】
【技術分野】
【０００１】
本発明は、キープレート固定構造、及びキープレート固定構造を用いたメカキーに関する。
【背景技術】
【０００２】
従来技術として、キープレートがグリップ部の挿入孔に挿入されて固定されたキープレート固定構造を備えたメカキーが提案されている（例えば、特許文献１）。
【０００３】
このメカキーは、挿入孔を有するグリップ部と、軸方向に一端側が挿入孔に挿入された挿入部とされ、他端側が鍵部とされたキープレートとを備える。グリップ部の挿入孔には、挿入部のキープレートの挿入方向と直交する方向への移動を規制する案内部を備え、キープレートは、キープレートの挿入部の先端部を中心とした回動を規制する延設部を備えている。また、キープレートの挿入部と鍵部との境目部分には、キープレートの板幅方向に延設された延設部が設けられている。延設部は、鍵部側に向けて板幅方向の長さが漸増するように直線状に形成されている。
【０００４】
延設部は、グリップ部の角部に当接しており、キープレートの挿入部を中心とした回動を規制する回動規制部に相当する。また、挿入孔には、キープレートが挿入される際に、キープレートの挿入方向に沿った角部を当接させて案内すると共に、該角部を圧潰可能な案内部が設けられている。また、案内部は、キープレートの挿入方向と直交する方向への移動を規制する移動規制部に相当する。これにより、案内部はキープレートの板厚方向及び板幅方向への移動を規制するとしている。また、挿入孔にキープレートの挿入部が挿入された状態で、貫通孔にピンが貫通されており、この状態で嵌合凹部と収容凹部との間に該ピンが配置されている。これにより、グリップ部に貫通されたピンが嵌合凹部に嵌合することで、キープレートは挿入方向に挿入孔から離脱する方向への移動を禁止され、グリップ部に固定されるとされている。
【先行技術文献】
【特許文献】
【０００５】
【特許文献１】特開２００６−３２２２３６号公報
【発明の概要】
【発明が解決しようとする課題】
【０００６】
しかし、特許文献１のキープレート固定構造によれば、キープレートの表面にピンが嵌合するための嵌合凹部を形成する必要がある。薄型のキープレートを採用する場合には、キープレートの板厚が嵌合凹部の部分で減少するため、キープレートの変形あるいは破損のおそれがある。このため、従来のキープレート固定構造では、キープレートの表面に嵌合凹部を形成しても十分な剛性又は強度を確保できるキープレートの板厚が必要とされていた。
【０００７】
したがって、本発明の目的は、薄型キープレートを使用してもキープレートを固定できるキープレート固定構造、及びこのキープレート固定構造を用いたメカキーを提供することにある。
【課題を解決するための手段】
【０００８】
［１］上記目的を達成するため、開口部を備えた挿入穴部を有し、前記挿入穴部の下部、前記下部と対向する突起部を備えた上部、及び挿入方向の奥に形成された奥部を備えたグリップ部と、長尺の板状であるプレート部の一端側が鍵部として形成され、前記プレート部の他端側がＬ字状に形成され前記挿入穴部に挿入される挿入部として形成されたキープレートと、を有し、前記挿入部には、前記突起部と挿入方向に当接しない形状の立設部が形成され、前記Ｌ字状を形成する前記挿入部のプレート部は前記突起部及び前記下部に当接して固定されることを特徴とするキープレート固定構造を提供する。
【０００９】
［２］前記突起部又は前記立設部は、櫛歯状に形成されていることを特徴とする上記［１］に記載のキープレート固定構造であってもよい。
【００１０】
［３］また、前記キープレートは、ピンにより、前記立設部が前記奥部に当接して固定されることを特徴とする上記［１］又は［２］に記載のキープレート固定構造であってもよい。
【００１１】
［４］また、前記グリップ部は、前記挿入穴部の一部に、前記挿入部の前記プレート部の角部と当接する案内部を有することを特徴とする上記［１］から［３］のいずれか１に記載のキープレート固定構造であってもよい。
【００１２】
［５］上記目的を達成するため、上記［１］から［４］のいずれか１に記載のキープレート固定構造を有するメカキーを提供する。
【発明の効果】
【００１３】
本発明のキープレート固定構造、又はこのキープレート固定構造を用いたメカキーによれば、薄型キープレートを使用してもキープレートを固定できる。
【図面の簡単な説明】
【００１４】
【図１】図１は、本発明の第１の実施の形態に係るメカキーとメカキーが収容される携帯機本体を示す全体斜視図である。
【図２】図２は、本発明の第１の実施の形態に係るメカキーのキープレートとグリップ部が組み立てられる前の状態を示す分解斜視図である。
【図３】図３は、本発明の第１の実施の形態に係るメカキーのキープレートを示す３面図であり、（ａ）は上平面図、（ｂ）は正面図、（ｃ）は右側面図である。
【図４】図４（ａ）は、図２で示す挿入方向Ｓ１からグリップ部を見た正面図であり、図４（ｂ）は、図４（ａ）のＡ-Ａ断面を示す断面図である。
【図５】図５は、キープレートが挿入された状態における図４（ｂ）で示したＡ-Ａ断面図である。
【図６】図６は、図５のＢ-Ｂ断面を示す断面図である。
【図７】図７（ａ）は、本発明の第２の実施の形態に係るメカキーのキープレートとグリップ部が組み立てられる前の状態を示す分解斜視図であり、図７（ｂ）は、図５で示したＢ-Ｂ位置における図７（ａ）の断面図である。
【図８】図８（ａ）は、本発明の第３の実施の形態に係るメカキーのキープレートとグリップ部が組み立てられる前の状態を示す分解斜視図であり、図８（ｂ）は、図５で示したＢ-Ｂ位置における図８（ａ）の断面図である。
【発明を実施するための形態】
【００１５】
図１は、本発明の第１の実施の形態に係るメカキー１０とメカキー１０が収容される携帯機本体１００を示す全体斜視図である。また、図２は、本発明の第１の実施の形態に係るメカキーのキープレートとグリップ部が組み立てられる前の状態を示す分解斜視図である。メカキー１０は、図１に示すように、携帯機本体１００に着脱可能に収容され、メカキー１０単独で車両のドアの解錠、エンジン始動等を行なうものである。携帯機本体１００は、車両側と無線通信可能とされ、ＩＤ認証後に車両のドアの解錠、エンジン始動等を行なうが、携帯機本体１００の電池切れや故障等の場合には非常用としてのメカキー１０を使用する。
【００１６】
［本発明の第１の実施の形態］
（メカキー１０の構成）
本発明の第１の実施の形態に係るメカキー１０は、開口部３１を備えた挿入穴部３２を有し、挿入穴部３２の下部３３、下部３３と対向する突起部３４を備えた上部３５、及び挿入方向の奥に形成された奥部３６を備えたグリップ部３０と、長尺の板状であるプレート部２１の一端側が鍵部２１ａとして形成され、プレート部２１の他端側がＬ字状に形成され挿入穴部３２に挿入される挿入部２１ｂとして形成されたキープレート２０と、を有し、挿入部２１ｂには、突起部３４と挿入方向に当接しない形状の立設部２２が形成され、Ｌ字状を形成する挿入部２１ｂのプレート部２１は突起部３４及び下部３３に当接して固定されるように構成されている。
【００１７】
（キープレート２０）
図３は、メカキー１０のキープレート２０を示す３面図であり、（ａ）は上平面図、（ｂ）は正面図、（ｃ）は右側面図である。キープレート２０は、例えば、板厚ｔの洋銀等の金属板により形成されている。
【００１８】
プレート部２１は、図３で示すように、表面２１ｃと裏面２１ｄを有し、例えば、表面２１ｃにキー溝として鍵部２１ａが形成されている。また、挿入部２１ｂの裏面２１ｄの部分は、後述するように、グリップ部３０の下部３３と当接する。
【００１９】
また、立設部２２は、プレート部２１の他端側が略９０°に曲げ加工されて立設してＬ字状に形成された挿入部２１ｂを形成する。挿入部２１ｂの立設部２２には、後述するグリップ部３０の奥部３６と当接する立設端部２３を有する。
【００２０】
ここで、立設部２２は、図２、図３に示すように、３つの立設部２２ａ、２２ｂ、２２ｃから構成されている。この３つの立設部２２ａ、２２ｂ、２２ｃは、それぞれ同じ高さｈ１までＬ字状に曲げ加工されて立設されている。また、各立設部２２ａ、２２ｂ、２２ｃの幅はそれぞれｗ１とされ、また、各立設部間の間隙はそれぞれｗ２とされている。したがって、図２、図３に示すように、立設部２２は櫛歯状に形成されている。
【００２１】
（グリップ部３０）
図４（ａ）は、図２で示す挿入方向Ｓ１からグリップ部を見た正面図であり、図４（ｂ）は、図４（ａ）のＡ-Ａ断面を示す断面図である。グリップ部３０は、例えば、金属によりブロック形状に形成されている。
【００２２】
グリップ部３０は、図４で示すように、開口部３１からキープレート２０の挿入部２１ｂが挿入される挿入穴部３２を有して形成されている。挿入穴部３２には、上記したプレート部２１の裏面２１ｄと当接する下部３３、プレート部２１の表面２１ｃと当接可能な突起部３４を備えた上部３５、及び、プレート部２１の立設端部２３と当接する奥部３６が形成されている。
【００２３】
ここで、突起部３４は、図２、図４に示すように、２つの突起部３４ａ、３４ｂから構成されている。この２つの突起部３４ａ、３４ｂは、それぞれ同じ高さＨ１まで突出して形成されている。また、突起部３４ａ、３４ｂの幅はそれぞれｗ３とされ、また、各突起部間の間隙はそれぞれｗ４とされている。したがって、図２、図４に示すように、突起部３４は櫛歯状に形成されている。
【００２４】
図５は、キープレートが挿入された状態における図４（ｂ）で示したＡ-Ａ断面図である。また、図６は、図５のＢ-Ｂ断面を示す断面図である。
【００２５】
図２に示すように、キープレート２０を矢印のＳ１方向に移動させ、挿入部２１ｂをグリップ部３０の挿入穴部３２に挿入して組み立てる。
【００２６】
ここで、図３（ｃ）で示したプレート部２１の立設部２２ａ、２２ｂ、２２ｃの幅ｗ１と、図４（ａ）で示した各突起部間の間隙はｗ４との関係は、ｗ１≦ｗ４に設定されている。また、図３（ｃ）で示したプレート部２１の立設部２２ａ、２２ｂ、２２ｃの各立設部間の間隙ｗ２と、図４（ａ）で示した各突起部３４ａ、３４ｂの幅ｗ３は、ｗ２≧ｗ３に設定されている。したがって、キープレート２０を矢印のＳ１方向に移動させ、挿入部２１ｂをグリップ部３０の挿入穴部３２に挿入する際に、立設部２２と突起部３４とは挿入方向に当接しない。
【００２７】
なお、上記示した不等号による式において等号が成立する場合は、立設部２２と突起部３４とは接触する。しかし、接触しても挿入部２１ｂをグリップ部３０の挿入穴部３２に挿入することは可能であるので、当接とは、立設部２２と突起部３４が当たって挿入できないことを意味する。
【００２８】
また、図３（ｃ）で示したプレート部２１の立設部２２ａ、２２ｂ、２２ｃの高さｈ１と、図４（ａ）で示した各突起部３４ａ、３４ｂの高さＨ１は、ｈ１≦Ｈ１に設定されている。したがって、キープレート２０を矢印のＳ１方向に移動させ、挿入部２１ｂをグリップ部３０の挿入穴部３２に挿入する際に、立設部２２ａ、２２ｂ、２２ｃの先端がグリップ部３０の上部３５に当接することはない。
【００２９】
図６で示すように、挿入部２１ｂの板幅ＷＰと、挿入穴部３２の穴幅ＷＨは、ＷＰ≦ＷＨに設定されている。
【００３０】
また、挿入部２１ｂの板厚ｔと、突起部３４ａ、３４ｂの先端から下部３３までの距離Ｈ２は、ｔ≧Ｈ２に設定されている。これにより、プレート部２１の挿入部２１ｂは、突起部３４及び下部３３に当接して固定される。
【００３１】
図２、５で示すように、キープレート２０をグリップ部３０に挿入して、プレート部２１の立設端部２３を挿入穴部３２の奥部３６に当接させる。この状態で、ピン４０をグリップ部３０に形成されたピン穴部３７にＳ２方向に圧入する。これにより、キープレート２０がグリップ部３０から挿入方向と逆方向に移動して脱落することを防止できる。また、上記示した挿入部２１ｂの板幅ＷＰと挿入穴部３２の穴幅ＷＨが、ＷＰ＜ＷＨに設定されてプレート部２１と挿入穴部３２の間に間隙がある場合でも、立設端部２３と奥部３６とが当接していることによってガタによるぐらつきは防止される。なお、ピン４０は、割りピン、又は中実ピン等が使用できる。
【００３２】
ピン４０は、図５で示すように、圧入された状態で挿入部２１ｂの立設部２２に当たり、立設端部２３が挿入穴部３２の奥部３６に当接した状態を維持することができる。また、前述したように、プレート部２１の挿入部２１ｂは、突起部３４及び下部３３に当接して固定される。さらに、ピン４０は、圧入された状態で挿入部２１ｂの表面２１ｃに当たり、挿入部２１ｂを下部３３に当接して固定することができる。これらにより、キープレート２０は、グリップ部３０に挿入された状態で固定される。
【００３３】
［本発明の第２の実施の形態］
図７（ａ）は、本発明の第２の実施の形態に係るメカキーのキープレートとグリップ部が組み立てられる前の状態を示す分解斜視図であり、図７（ｂ）は、図５で示したＢ-Ｂ位置における図７（ａ）の断面図である。
【００３４】
第１の実施の形態で示した、プレート部２１の立設部２２、また、グリップ部３０の突起部３４が櫛歯状ではなく、第２の実施の形態では段部３８として形成されていることを特徴とする。その他の構成は、第１の実施の形態と同様であるので、説明を省略する。
【００３５】
図７（ａ）に示すように、キープレート２０において、立設部２５は、挿入部２１ｂのプレート部２１の板幅ＷＰよりも小さな値である板幅Ｗ５とされて構成されている。また、この立設部２５は、ｈ１までＬ字状に曲げ加工されて立設されている。
【００３６】
一方、図７（ａ）、（ｂ）に示すように、グリップ部３０において、挿入穴部３２は、穴幅ＷＨとそれよりも狭い穴幅Ｗ６が段部３８で繋がった穴部として形成されている。
【００３７】
また、図７（ａ）、（ｂ）で示したプレート部２１の立設部２５の高さｈ１と、段部３８から上部３５までの高さＨ１は、ｈ１≦Ｈ１に設定されている。したがって、キープレート２０を矢印のＳ１方向に移動させ、挿入部２１ｂをグリップ部３０の挿入穴部３２に挿入する際に、立設部２５の先端がグリップ部３０の上部３５に当接することはない。
【００３８】
図７（ｂ）で示すように、挿入部２１ｂの板幅ＷＰと、挿入穴部３２の穴幅ＷＨは、ＷＰ≦ＷＨに設定されている。
【００３９】
また、挿入部２１ｂの板厚ｔと、段部３８から下部３３までの距離Ｈ２は、ｔ≧Ｈ２に設定されている。これにより、プレート部２１の挿入部２１ｂは、段部３８及び下部３３に当接して固定することができる。
【００４０】
第１の実施の形態と同様に、ピン４０をグリップ部３０に圧入することにより、立設端部２３を挿入穴部３２の奥部３６に当接した状態で維持することができる。また、プレート部２１の挿入部２１ｂは、段部３８及び下部３３に当接して固定される。さらに、ピン４０は、圧入された状態で挿入部２１ｂの表面２１ｃに当たり、挿入部２１ｂを下部３３に当接して固定することができる。これらにより、キープレート２０は、グリップ部３０に挿入された状態で固定される。
【００４１】
［本発明の第３の実施の形態］
図８（ａ）は、本発明の第３の実施の形態に係るメカキーのキープレートとグリップ部が組み立てられる前の状態を示す分解斜視図であり、図８（ｂ）は、図５で示したＢ-Ｂ位置における図８（ａ）の断面図である。
【００４２】
第３の実施の形態では、挿入穴部３２内に形成される２つの突起部３４ａ、３４ｂの脇に、案内部３９が形成されていることを特徴とする。その他の構成は、第１、第２の実施の形態と同様であるので、説明を省略する。
【００４３】
図８（ａ）に示すように、キープレート２０において、立設部２２ａ、２２ｂ、２２ｃは、その両端の幅が、挿入部２１ｂのプレート部２１の板幅ＷＰよりも小さな値であるＷ７とされて構成されている。また、第１の実施の形態と同様に、この立設部２５は、ｈ１までＬ字状に曲げ加工されて立設されている。
【００４４】
一方、図８（ａ）、（ｂ）に示すように、グリップ部３０において、挿入穴部３２は、穴幅ＷＨとそれよりも狭い穴幅Ｗ８が案内部３９で繋がった穴部として形成されている。
【００４５】
立設部２２ａ、２２ｂ、２２ｃ、及び、突起部３４ａ、３４ｂは、第１の実施の形態と同様に櫛歯状に形成された構成とされている。したがって、キープレート２０を矢印のＳ１方向に移動させ、挿入部２１ｂをグリップ部３０の挿入穴部３２に挿入する際に、立設部２２と突起部３４とは挿入方向に当接しない。
【００４６】
案内部３９は、図８（ｂ）に示すように、例えば４５°の斜面として形成されており、キープレート２０が挿入穴部３２に挿入する際には、図８（ａ）に示すプレート部２１の角部２１ｅに当接して、角部２１ｅを圧潰可能とされている。これにより、プレート部２１の挿入部２１ｂは下部３３に当接して固定される。
【００４７】
第１、第２の実施の形態と同様に、ピン４０をグリップ部３０に圧入することにより、立設端部２３を挿入穴部３２の奥部３６に当接した状態で維持することができる。また、プレート部２１の挿入部２１ｂは、案内部３９によって下部３３に当接して固定される。さらに、ピン４０は、圧入された状態で挿入部２１ｂの表面２１ｃに当たり、挿入部２１ｂを下部３３に当接して固定することができる。これらにより、キープレート２０は、グリップ部３０に挿入された状態で固定される。
【００４８】
（本発明の実施の形態の効果）
本発明の実施の形態に係るキープレート固定構造、又はこのキープレート固定構造を用いたメカキーによれば、以下のような効果を有する。
【００４９】
（１）キープレート２０のプレート部２１の他端側がＬ字状に形成された挿入部２１ｂとして形成されている。これにより、挿入部２１ｂがグリップ部３０の挿入穴部３２に挿入され、ピン４０により固定される。ピン４０は、立設端部２３を挿入穴部３２の奥部３６に当接させるので、キープレート２０がグリップ部３０から挿入方向と逆方向に移動して脱落することを防止できる。したがって、従来技術で述べたように、キープレート側にピンが嵌合するための嵌合凹部が不要となる。これにより、薄型キープレートにおいても本発明の実施の形態に係るキープレート固定構造を採ることができ、薄型キープレートのメカキーが可能となる。また、薄型キープレートのメカキーにより、携帯機のスリム化、小型化が可能となる。
【００５０】
（２）本発明の第１の実施の形態によれば、立設部２２ａ、２２ｂ、２２ｃ、及び、突起部３４ａ、３４ｂは、櫛歯状に形成された構成とされている。したがって、キープレート２０を矢印のＳ１方向に移動させ、挿入部２１ｂをグリップ部３０の挿入穴部３２に挿入する際に、立設部２２と突起部３４が当接せずに挿入することが可能となる。
【００５１】
（３）本発明の第２の実施の形態によれば、グリップ部３０の挿入穴部３２に段部３８を設ける構成とすることにより、第１の実施の形態と同様に、キープレート２０を矢印のＳ１方向に移動させ、挿入部２１ｂをグリップ部３０の挿入穴部３２に挿入する際に、立設部２２と突起部３４が当接せずに挿入することが可能となる。
【００５２】
（４）本発明の第３の実施の形態によれば、グリップ部３０の挿入穴部３２に案内部３９を設ける構成とする。案内部３９は４５°の斜面として形成されており、キープレート２０が挿入穴部３２に挿入する際には、プレート部２１の角部２１ｅに当接して、角部２１ｅを圧潰可能としている。これにより、プレート部２１の挿入部２１ｂは下部３３に当接して固定され、キープレート２０の板厚方向の固定をより強固にすることができる。
【００５３】
以上、本発明の実施の形態を説明したが、これらの実施の形態は、一例に過ぎず、特許請求の範囲に係る発明を限定するものではない。また、これら新規な実施の形態およびその変形例は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態およびその変形例は、発明の範囲及び要旨に含まれるとともに、特許請求の範囲に記載された発明とその均等の範囲に含まれる。
【符号の説明】
【００５４】
１０…メカキー、２０…キープレート、２１…プレート部、２１ａ…鍵部、２１ｂ…挿入部、２１ｃ…表面、２１ｄ…裏面、２１ｅ…角部、２２、２２ａ、２２ｂ、２２ｃ…立設部、２３…立設端部、２５…立設部、３０…グリップ部、３１…開口部、３２…挿入穴部、３３…下部、３４、３４ａ、３４ｂ…突起部、３５…上部、３６…奥部、３７…ピン穴部、３８…段部、３９…案内部、４０…ピン、１００…携帯機本体
【図１】
2016121461.tif 000003
【図２】
2016121461.tif 000004
【図３】
2016121461.tif 000005
【図４】
2016121461.tif 000006
【図５】
2016121461.tif 000007
【図６】
2016121461.tif 000008
【図７】
2016121461.tif 000009
【図８】
2016121461.tif 000010